(57)【要約】【課題】フィルター装置の交換時期を延ばすことを含め、フィルター装置のメンテナンス性の向上を図れるプロジェクターを提供する。【解決手段】プロジェクター１は、外装筐体５の前面１ａに設置される吸気用開口部５３と、吸気用開口部５３に相対して設置されて外気を外装筐体５内部に吸気する吸気口６１２を有し、吸気した外気を流動する吸気ダクト６１１と、吸気用開口部５３を介して吸気ダクト６１１に設置され、吸気される外気を清浄化するフィルター装置８と、を備え、フィルター装置８は、吸気用開口部５３の開口面積Ａに比較して大きい面積Ｂを有している。【選択図】図２
2012008180.tif 000002
【特許請求の範囲】
【請求項１】
光束を射出する光源装置と、前記光束を画像情報に基づいて変調して光学像を形成する光変調装置と、前記光学像を投写する投写レンズ装置と、前記光源装置と前記光変調装置とを内部に収容すると共に前記投写レンズ装置を延出可能に固定する外装筐体と、を有するプロジェクターであって、
前記外装筐体の面に設置される開口部と、
前記開口部に相対して設置されて外気を前記外装筐体内部に吸気する吸気口を有し、吸気した前記外気を流動する吸気ダクトと、
前記開口部を介して前記吸気ダクトに設置され、吸気される前記外気を清浄化するフィルター装置と、を備え、
前記フィルター装置は、前記開口部の開口面積に比較して大きい面積を有していることを特徴とするプロジェクター。
【請求項２】
請求項１に記載のプロジェクターであって、
前記フィルター装置は、係合部を有し、
前記吸気ダクトは、前記係合部を受ける係合受け部を有し、
前記フィルター装置は、前記係合部と前記係合受け部とにより、着脱自在に設置されることを特徴とするプロジェクター。
【請求項３】
請求項１又は請求項２に記載のプロジェクターであって、
前記開口部及び前記フィルター装置は略矩形状を有し、
前記フィルター装置は、一方の辺方向の長さが、前記開口部の相対する一方の辺方向の長さに比較して短く形成されると共に、他方の辺方向の長さが、前記開口部の相対する他方の辺方向の長さに比較して長く形成されることを特徴とするプロジェクター。
【請求項４】
請求項１〜請求項３のいずれか一項に記載のプロジェクターであって、
前記フィルター装置は、前記外装筐体の前記投写レンズ装置が延出される面に設置されていることを特徴とするプロジェクター。
【発明の詳細な説明】
【技術分野】
【０００１】
本発明は、プロジェクターに関する。
【背景技術】
【０００２】
従来、プロジェクターは、光源装置から射出された光束を光変調装置で画像情報に基づいて変調して光学像を形成し、その光学像を投写レンズ装置でスクリーン上に拡大投写する構成となっている。このようなプロジェクターは、光源装置や光変調装置を含め、プロジェクターを構成する部材が発熱するため、プロジェクターの機能を維持するためには、発熱した部材を冷却することが必要となる。そのために、プロジェクターは、外装筐体に吸気や排気を行う開口部を設け、外装筐体内部に冷却ファンやダクト等を有する冷却機構を備えている。そして、プロジェクターは、冷却ファンの動作により、吸気用の開口部からダクト内に外気を取り込み、ダクト内を流動させ、発熱した部材に外気を吹き付けて冷却している。また、冷却して温まった外装筐体内部の空気（内気）は、冷却ファン等により排気用の開口部から外装筐体外部に排気している。
【０００３】
なお、吸気用の開口部から外気を取り込む際、一般的に、吸気用の開口部から吸気された外気を、ダクトの吸気口近傍に設置されるエアーフィルターにより、外気に含まれる塵埃を清浄化してダクト内に取り込んでいる。これにより、外気に含まれる塵埃が光学部品（光変調装置等）に付着することを抑制し、塵埃が投写画像に影として投写されることを防止している。なお、エアーフィルターの面積は、吸気用の開口部の開口面積（又はダクトの吸気口の面積）と同程度である。
【０００４】
また、特許文献１では、エアーフィルターが目詰まりして、外装筐体内部が負圧気味になっても塵埃を含まない冷却用の空気を吸入できるプロジェクターが開示されている。
【先行技術文献】
【特許文献】
【０００５】
【特許文献１】特開２００９−２１１０００号公報
【発明の概要】
【発明が解決しようとする課題】
【０００６】
しかし、エアーフィルターは、塵埃を吸着することにより目詰まりを起すため、必ずエアーフィルターの交換が必要になるという課題がある。また、エアーフィルターの交換の際の、交換のし易さ等にも課題がある。
従って、エアーフィルター（フィルター装置）の交換時期を延ばすことを含め、エアーフィルター（フィルター装置）のメンテナンス性の向上を図れるプロジェクターが要望されていた。
【課題を解決するための手段】
【０００７】
本発明は、上述した課題の少なくとも一部を解決するためになされたものであり、以下の形態または適用例として実現することが可能である。
【０００８】
（適用例１）本適用例に係るプロジェクターは、光束を射出する光源装置と、光束を画像情報に基づいて変調して光学像を形成する光変調装置と、光学像を投写する投写レンズ装置と、光源装置と光変調装置とを内部に収容すると共に投写レンズ装置を延出可能に固定する外装筐体と、を有するプロジェクターであって、外装筐体の面に設置される開口部と、開口部に相対して設置されて外気を外装筐体内部に吸気する吸気口を有し、吸気した外気を流動する吸気ダクトと、開口部を介して吸気ダクトに設置され、吸気される外気を清浄化するフィルター装置と、を備え、フィルター装置は、開口部の開口面積に比較して大きい面積を有していることを特徴とする。
【０００９】
このようなプロジェクターによれば、従来のエアーフィルターの面積が開口部の開口面積と同程度で有ったことに比較して、フィルター装置は、大きい面積を有しているため、目詰まりする期間も従来のエアーフィルターに比較して延ばすことができる。従って、フィルター装置の交換時期を延ばすことができる。
【００１０】
（適用例２）上記適用例に係るプロジェクターにおいて、フィルター装置は、係合部を有し、吸気ダクトは、係合部を受ける係合受け部を有し、フィルター装置は、係合部と係合受け部とにより、着脱自在に設置されることが好ましい。
【００１１】
このようなプロジェクターによれば、係合部と係合受け部とにより、フィルター装置を確実に吸気ダクトに装着できる。また、係合受け部と係合部との係合を外すことにより、フィルター装置を吸気ダクトから確実に取り外すことができる。これらにより、フィルター装置は、開口部を介して吸気ダクトに着脱自在となり、フィルター装置の交換を容易に行うことができる。従って、フィルター装置のメンテナンス性の向上を図ることができる。
【００１２】
（適用例３）上記適用例に係るプロジェクターにおいて、開口部及びフィルター装置は略矩形状を有し、フィルター装置は、一方の辺方向の長さが、開口部の相対する一方の辺方向の長さに比較して短く形成されると共に、他方の辺方向の長さが、開口部の相対する他方の辺方向の長さに比較して長く形成されることが好ましい。
【００１３】
このようなプロジェクターによれば、略矩形状を有するフィルター装置の一方の辺側を、略矩形状を有する開口部の相対する一方の辺側に沿わせて挿入することで、フィルター装置の他方の辺を開口部に挿通することができる。これにより、開口部の開口面積に比較して大きい面積を有するフィルター装置を吸気口近傍に設置することができるため、フィルター装置の交換時期を延ばすことができると共に、容易にフィルター装置の交換を行うことができ、フィルター装置のメンテナンス性の向上を図ることができる。
【００１４】
（適用例４）上記適用例に係るプロジェクターにおいて、フィルター装置は、外装筐体の投写レンズ装置が延出される面に設置されていることが好ましい。
【００１５】
このようなプロジェクターによれば、プロジェクターを設置した際、光学像を投写する投写レンズ装置が延出する面の近傍に、投写や吸気を阻止するような例えば壁等の障害物が存在する確率は、他の面の近傍に投写や吸気を阻止するような障害物が存在する確率に比較して低くなる。これにより、フィルター装置を投写レンズ装置が延出される面に設置することにより、他の面に設置する場合に比較して、吸気を阻止される確率を低くすることができる。従って、確実な吸気及び清浄化を行わせることが可能となる。また、プロジェクターの設置環境に影響されずにフィルター装置を交換することができ、フィルター装置のメンテナンス性を更に向上できる。
【図面の簡単な説明】
【００１６】
【図１】実施形態に係るプロジェクターの外観構成を示す斜視図。
【図２】吸気カバーを取り外した状態を示す図。
【図３】プロジェクターの光学ユニット及び冷却機構を模式的に示す平面図。
【図４】フィルター装置を示す図。
【図５】フィルター装置を吸気用開口部に挿入する状態を示す図。
【図６】フィルター装置を吸気ダクトに装着する状態を示す図。
【図７】フィルター装置を吸気ダクトに装着した状態を示す図。
【発明を実施するための形態】
【００１７】
以下、実施形態を図面に基づいて説明する。
（実施形態）
【００１８】
図１は、実施形態に係るプロジェクター１の外観構成を示す斜視図である。図１を参照して、プロジェクター１の外観構成と動作を説明する。
【００１９】
本実施形態のプロジェクター１は、外観的に略直方体形状をなす外装筐体５を有している。ここで、外装筐体５に対して、投写レンズ装置４が延出している面を前面１ａとし、前面１ａに向かって見た場合の左側の側面を左面１ｂ、右側の側面を右面１ｃとする。また、前面１ａに対向する面を背面１ｄ、前面１ａに向かって見た場合の上側の面を上面１ｅ、下側の面を下面１ｆとする。また、以降の説明において、方向を示す場合、面と同様に、前面１ａに向かって見た場合を基準として、上方向、下方向、左方向、右方向として使用する。
【００２０】
プロジェクター１は、前面１ａの略中央に、投写レンズ装置４が延出されて設置されている。また、前面１ａには、投写レンズ装置４を挟んで、その左方向に吸気カバー５１、右方向に排気カバー５５を備えている。また、前面１ａの投写レンズ装置４の近傍には、リモコン（リモートコントローラー）からの赤外線の信号を受信する受光部５８を備えている。
【００２１】
プロジェクター１の上面１ｅは、湾曲した外面を有する外装筐体５で形成されている。左面１ｂには、プロジェクター１の機能の詳細を設定する等の操作スイッチ（図示省略）を有する操作パネル（図示省略）を備えている。プロジェクター１の背面１ｄには、複数の外部電子機器（図示省略）からの画像信号等を入力するための複数の接続用入力端子（図示省略）を備えるインターフェース部（図示省略）が設置されている。下面１ｆには、プロジェクター１の投写角度の調整を行う脚部５９を備えている。
【００２２】
図２は、吸気カバー５１を取り外した状態を示す図であり、図２（ａ）は正面図（前面１ａに向かって見た図）を示し、図２（ｂ）は正面図を示すと共に、吸気ダクト６１１に装着されたフィルター装置８を透視した状態を示す図である。
【００２３】
図２（ａ）に示すように、吸気カバー５１は、吸気カバー固定部５２に対して着脱機構（図示省略）により着脱自在に設置されている。フィルター装置８を吸気ダクト６１１の吸気口６１２近傍に着脱する際には、この吸気カバー５１を取り外して行う。
【００２４】
吸気カバー固定部５２には、開口部としての吸気用開口部５３が略矩形状に形成されている。なお、外装筐体５内部には、この吸気用開口部５３に相対して吸気ダクト６１１が設置される。詳細には、吸気ダクト６１１の先端側となる吸気口６１２が吸気用開口部５３に相対して設置されている。
【００２５】
図３は、プロジェクター１の光学ユニット２及び冷却機構６を模式的に示す平面図である。図３を参照して、プロジェクター１の光学ユニット２の構成と動作、並びに冷却機構６の構成と動作を概略説明する。
【００２６】
プロジェクター１の外装筐体５内部には、光学ユニット２、冷却機構６、電源部（図示省略）、プロジェクター１の動作を制御する制御部（図示省略）を含む回路ユニット（図示省略）等を備えている。
【００２７】
本実施形態の光学ユニット２は、制御部の制御により、光源装置２１から射出された光束を３つの色光に分離し、分離された色光毎に光変調装置で変調して光学像を形成し、形成された色光毎の光学像を色合成光学装置で合成し、合成された光学像を画像光として投写するユニットである。光学ユニット２は、光源装置２１、照明光学装置２２、色分離光学装置２３、リレー光学装置２４、光学装置２５、及び投写光学装置としての投写レンズ装置４を備えている。また、光学ユニット２は、これらの光学装置２１〜２５を構成する光学部品等を所定位置に収容する光学部品用筐体３を備えている。
【００２８】
光源装置２１は、光源としての光源ランプ２１１、及びリフレクター２１２等を備えている。光源装置２１は、光源ランプ２１１の発光により射出された光束をリフレクター２１２によって反射させて射出方向を揃え、照明光学装置２２に向けて射出する。なお、光源ランプ２１１は、超高圧水銀ランプを採用している。
【００２９】
照明光学装置２２は、光源装置２１から射出された光束に対し、照明光軸Ｘに直交する面内での照度を均一化するものである。照明光学装置２２は、第１レンズアレイ２２１、第２レンズアレイ２２２、偏光変換素子２２３、及び重畳レンズ２２４を備えている。また、照明光学装置２２は、３つのフィールドレンズ２２５を備えている。
【００３０】
色分離光学装置２３は、照明光学装置２２からの照明光束を赤色（Ｒ）光、緑色（Ｇ）光、及び青色（Ｂ）光の３つの色光に分離し、対応する３つの光変調装置（液晶パネル２５２）に導光するものである。色分離光学装置２３は、２枚のダイクロイックミラー２３１，２３２、及び反射ミラー２３３を備えている。
【００３１】
リレー光学装置２４は、色分離光学装置２３で分離された色光（本実施形態ではＲ光）に対し、光路の長さが他の色光（Ｇ光、Ｂ光）の光路の長さよりも長くなるため、光の発散等による光の利用効率の低下を防止し、光変調装置（本実施形態ではＲ光用光変調装置）まで導くものである。リレー光学装置２４は、入射側レンズ２４１、リレーレンズ２４３、及び反射ミラー２４２，２４４を備えている。
【００３２】
光学装置２５は、各光変調装置に入射した各色光を画像信号に基づいて変調して光学像を形成し、形成された色光毎の光学像を、色合成光学装置で合成し、合成された光学像を画像光として投写レンズ装置４に射出するものである。光学装置２５は、光変調装置を構成する３つの透過型の液晶パネル２５２（Ｒ光用液晶パネル２５２Ｒ、Ｇ光用液晶パネル２５２Ｇ、Ｂ光用液晶パネル２５２Ｂ）、３つの入射側偏光板２５１、３つの射出側偏光板２５４、及び色合成光学装置としてのクロスダイクロイックプリズム２５５を備えている。
【００３３】
投写レンズ装置４は、入射する画像光をズーム調整する機能、及びフォーカス調整する機能を有し、光学装置２５で形成された画像光をスクリーンＳＣに拡大投写するものである。投写レンズ装置４は、１つ又は複数のレンズを１つのレンズ群として、複数のレンズ群を備えている。
なお、上述した各光学装置２１〜２５及び投写レンズ装置４に関しては、種々の一般的なプロジェクターの光学系として利用されているため、詳細な説明を省略する。
【００３４】
図２、図３に示すように、プロジェクター１の前面１ａには、上述したように、投写レンズ装置４を挟んで、その左方向に吸気カバー５１、右方向に排気カバー５５を備えている。そして、外装筐体５には、吸気カバー５１を着脱自在に固定する吸気カバー固定部５２と、排気カバー５５を固定する排気カバー固定部５６とが形成される。また、吸気カバー固定部５２には、開口部としての吸気用開口部５３が形成される。また、排気カバー固定部５６には、排気用開口部５７が形成される。
【００３５】
吸気用開口部５３は、プロジェクター１外部の外気を吸気する開口部として機能する。なお、本実施形態のプロジェクター１において、吸気用開口部５３以外には、外気を吸気する開口部は設置されていない。排気用開口部５７は、プロジェクター１内部の内気を排気する開口部として機能する。なお、本実施形態のプロジェクター１において、排気用開口部５７以外には、内気を排気する開口部は設置されていない。
【００３６】
冷却機構６は、プロジェクター１内部の発熱する部材を冷却する機構である。図３に示すように、冷却機構６は、大略、第１冷却部６１と第２冷却部６２とを有して構成されている。
【００３７】
第１冷却部６１は、光学ユニット２（光学装置２５、偏光変換素子２２３、光源装置２１等）や電源部（図示省略）などを冷却する。第１冷却部６１は、吸気ダクト６１１と吸気ファン９１とを有して構成されている。吸気ダクト６１１の先端部には吸気口６１２を有している。また、吸気ファン９１の後段の吸気ダクト６１１は、複数に分岐されて構成（図示省略）されており、冷却する光学ユニット２や電源部等にそれぞれ流動する。
【００３８】
吸気口６１２には、吸気口６１２を覆うフィルター装置８が、着脱自在に設置されている。フィルター装置８は、外気を吸気する際に、外気に含まれる塵埃を付着することにより、外気を清浄化する除塵機能を有している。吸気ファン９１は、本実施形態では、シロッコファンを採用している。シロッコファンは、回転軸方向から吸気した空気を、回転による遠心力方向に吐出する構造となっている。
【００３９】
第２冷却部６２は、第１冷却部６１により、熱を奪って外装筐体５内部に吐出された温まった内気を外装筐体５の外部（プロジェクター１の外部）に排気する。また、第２冷却部６２が動作することにより、回路ユニットの発熱するＩＣ（図示省略）等の熱を奪って冷却する。第１冷却部６１、第２冷却部６２が動作することにより、プロジェクター１の内部は適切に冷却される。なお、第２冷却部６２は、排気ダクト６４１と排気ファン９２とを有して構成されている。排気ダクト６４１の先端部には排気口６４２を有している。排気ファン９２は、本実施形態では、軸流ファンを採用している。軸流ファンは、回転軸方向から吸気した空気を、回転軸方向に吐出する構造となっている。
【００４０】
第１冷却部６１の動作に関して説明する。
吸気ファン９１が回転することにより、外装筐体５外部の外気が、吸気カバー５１及び吸気用開口部５３を介して、吸気口６１２から吸気ダクト６１１内に吸気される。このとき、吸気口６１２近傍に設置されるフィルター装置８を外気が通過する。外気がフィルター装置８を通過することにより、外気に含まれる塵埃が清浄化される。従って、清浄化された外気が吸気ダクト６１１内を流動する。そして、吸気ダクト６１１内を流動した外気は、図示しない分岐されたダクト内を流動し、光学ユニット２や電源部（図示省略）に吹き付ける。これにより、光学装置２５、偏光変換素子２２３、光源装置２１、及び電源部で発熱した熱を奪うことで、各部材を冷却する。
【００４１】
第２冷却部６２の動作に関して説明する。
排気ファン９２が回転することにより、第１冷却部６１の動作により外装筐体５内部に吐出された温まった空気（内気）を吸気し、排気ダクト６４１内に流入させる。排気ダクト６４１内を流動した内気は、排気口６４２から排気用開口部５７及び排気カバー５５を介して、外装筐体５の外部（プロジェクター１の外部）に吐出（排気）される。なお、第２冷却部６２が動作することにより、外装筐体５内部の温まった空気（内気）をプロジェクター１の外部に排気することにより、光学ユニット２や電源部を冷却すると共に、回路ユニットの発熱するＩＣ（図示省略）や、その他の部材等も冷却する。
【００４２】
図４は、フィルター装置８を示す図であり、図４（ａ）は、フィルター装置８の斜視図であり、図４（ｂ）は、フィルター装置８の断面図である。なお、図４（ｂ）は、図４（ａ）でのＤ−Ｄ´断面を示している。図４を参照して、フィルター装置８の構成と動作を説明する。
【００４３】
フィルター装置８は、略矩形の筒状に形成されるフィルター枠８１と、プリーツ状に形成される略矩形状のエアーフィルター８２とで構成されている。エアーフィルター８２は、外周縁部をフィルター枠８１に固定されている。フィルター枠８１の上面８１ｅには、上面８１ｅに略平行に突出する把持部８１１が形成されている。把持部８１１は、フィルター装置８を吸気口６１２に着脱する際に把持する部分である。
【００４４】
ここで、図２に戻り、吸気用開口部５３とフィルター装置８の面積に関して説明する。
図２（ａ）は、吸気用開口部５３の開口面積を斜線で示している。この吸気用開口部５３の開口面積をＡとする。また、図２（ｂ）は、フィルター装置８のエアーフィルター８２において、実際にフィルターとして機能する面積（プリーツ加工される断面方向を含む面積は無視した平面視での面積）を斜線で示している。このエアーフィルター８２の面積をＢとする。この場合、エアーフィルター８２の面積Ｂは、吸気用開口部５３の開口面積Ａに比較して大きい面積を有している。
【００４５】
次に、吸気用開口部５３の形状とフィルター装置８の形状に関して説明する。
図２（ｂ）に示すように、略矩形状の吸気用開口部５３の一方の辺の長さ（左右方向の辺の長さ）をＡ１、他方の辺の長さ（上下方向の辺の長さ）をＡ２とする。また、略矩形状のフィルター装置８の一方の辺の長さ（左右方向の辺の長さ）をＢ１、他方の辺の長さ（上下方向の辺の長さ）をＢ２とする。この場合、フィルター装置８の左右方向の辺の長さＢ１は、相対する吸気用開口部５３の左右方向の辺の長さＡ１に比較して短く形成されている。また、フィルター装置８の上下方向の辺の長さＢ２は、相対する吸気用開口部５３の上下方向の辺の長さＡ２に比較して長く形成されている。
【００４６】
図５は、フィルター装置８を吸気用開口部５３に挿入する状態を示す図であり、図５（ａ）は、その概斜視図であり、図５（ｂ）は、概断面図である。図６は、フィルター装置８を吸気ダクト６１１に装着する状態を示す図であり、図６（ａ）は、その概斜視図であり、図６（ｂ）は、概断面図である。図７は、フィルター装置８を吸気ダクト６１１に装着した状態を示す図であり、図７（ａ）は、その概斜視図であり、図７（ｂ）は、概断面図である。図５〜図７を参照して、フィルター装置８を吸気ダクト６１１（吸気口６１２近傍）の係合受け部６３に装着する手順を説明する。
【００４７】
吸気ダクト６１１は、吸気用開口部５３に相対させて吸気口６１２を備えている。なお、吸気口６１２の近傍となる吸気ダクト６１１の先端部には、係合受け部６３が構成されている。また、フィルター装置８には、係合部８３が形成されている。吸気ダクト６１１の係合受け部６３は、フィルター装置８の係合部８３と係合して、フィルター装置８を着脱自在に保持するものである。
【００４８】
吸気ダクト６１１の係合受け部６３は、吸気ダクト６１１の上内面６１１ｅに、下内面６１１ｆに向かって突出する係合受け突起６３１を有して構成される。また、係合受け部６３は、吸気ダクト６１１の下内面６１１ｆに、フィルター装置８を案内する案内リブ６３２と案内面６３３とを有して構成される。一方、フィルター装置８の係合部８３は、フィルター枠８１の上面８１ｅに形成する係合突起８３１と、下面８１ｆを含んだフィルター枠８１の外周部とを有して構成される。
【００４９】
図５に示すように、フィルター装置８を吸気口６１２（係合受け部６３）に装着する場合、最初に、吸気カバー５１を、吸気カバー固定部５２から取り外す。なお、図５では、吸気カバー５１は取り外された状態を示している。次に、図５に示すように、フィルター装置８の把持部８１１を把持して、フィルター枠８１の下面８１ｆ側から吸気用開口部５３に挿入する。この場合、図２に示したように、フィルター装置８の左右方向の辺の長さＢ１は、吸気用開口部５３の左右方向の辺の長さＡ１に比較して短く形成されているため、フィルター装置８の左右方向の辺側を吸気用開口部５３の左右方向の辺側に沿わせて挿入することができる。
【００５０】
次に、図６に示すように、吸気用開口部５３に挿入したフィルター装置８の下面８１ｆ側の外周部を、吸気ダクト６１１（係合受け部６３）の案内リブ６３２に当接させる。そして、フィルター装置８を案内リブ６３２に沿って摺動させながら、案内面６３３に当接するまで下方向に挿入する。
【００５１】
フィルター装置８が、案内面６３３に当接した後、案内面６３３に当接したフィルター装置８の下面８１ｆ側の外周部を中心として、フィルター装置８を吸気ダクト６１１方向に回転するように把持部８１１を押し込む。これにより、図７に示すように、フィルター装置８の下面８１ｆが、案内面６３３に当接すると共に、フィルター装置８（係合部８３）の係合突起８３１が、吸気ダクト６１１（係合受け部６３）の係合受け突起６３１を乗り越えることで、係合受け部６３に係合部８３が係合する。以上の動作により、フィルター装置８を吸気口６１２近傍の係合受け部６３に装着することができる。最後に、吸気カバー５１を吸気カバー固定部５２に挿入して固定する。
【００５２】
なお、この一連の動作により、図２に示したように、フィルター装置８の上下方向の辺の長さＢ２が、吸気用開口部５３の上下方向の辺の長さＡ２に比較して長く形成されていても、吸気用開口部５３を介して吸気ダクト６１１（係合受け部６３）に装着することができる。
【００５３】
次に、フィルター装置８を交換する際に、フィルター装置８を吸気ダクト６１１（係合受け部６３）から取り外す手順を説明する。
最初に、吸気カバー５１を吸気カバー固定部５２から取り外す。次に、吸気用開口部５３を介してその奥に設置されているフィルター装置８の把持部８１１を把持する。そして、把持部８１１を吸気用開口部５３側に引っ張る。それ以降は、上述した装着する手順の逆の動作を行うことにより、フィルター装置８を吸気ダクト６１１（係合受け部６３）から取り外すことができる。
【００５４】
上述した実施形態によれば、以下の効果が得られる。
本実施形態のプロジェクター１によれば、従来のエアーフィルターの面積が開口部の開口面積と同程度で有ったことに比較して、フィルター装置８（エアーフィルター８２）の面積Ｂは、吸気用開口部５３の開口面積Ａに比較して大きい面積Ｂを有している。そのため、フィルター装置８が目詰まりする期間も従来のエアーフィルターに比較して延ばすことができる。従って、フィルター装置８の交換時期を延ばすことができる。また、フィルター装置８は、吸気用開口部５３を介することで着脱自在に設置され、フィルター装置８の交換を容易に行うことができる。これにより、フィルター装置８のメンテナンス性の向上を図ることができる。
【００５５】
本実施形態のプロジェクター１によれば、吸気用開口部５３の面積がデザイン上制限される場合などにも、フィルター装置８（エアーフィルター８２）の面積を広くすることができるため。フィルター装置８の交換時期を延ばすことができると共に、デザインの自由度を拡大することができる。
【００５６】
本実施形態のプロジェクター１によれば、フィルター装置８に有する係合部８３と、吸気ダクト６１１に有する係合受け部６３とにより、フィルター装置８を吸気ダクト６１１（本実施形態では吸気口６１２近傍）に確実に装着できる。また、係合受け部６３と係合部８３との係合を外すことにより、フィルター装置８を吸気ダクト６１１から確実に取り外すことができる。
【００５７】
本実施形態のプロジェクター１によれば、フィルター装置８の左右方向の辺の長さＢ１は、相対する吸気用開口部５３の左右方向の辺の長さＡ１に比較して短く形成されている。このため、略矩形状を有するフィルター装置８の左右方向の辺側を、略矩形状を有する吸気用開口部５３の相対する左右方向の辺側に沿わせて挿入することができる。これにより、フィルター装置８の上下方向の辺の長さＢ２が、相対する吸気用開口部５３の上下方向の辺の長さＡ２に比較して長く形成されていても、フィルター装置８の上下方向の辺を吸気用開口部５３に挿通することができる。これにより、吸気用開口部５３の開口面積Ａに比較して、フィルター装置８（エアーフィルター８２）の面積Ｂが大きい場合にも、吸気用開口部５３を介して吸気口６１２近傍の係合受け部６３に設置することができる。従って、フィルター装置８の交換時期を延ばすことができると共に、容易にフィルター装置８の交換を行うことができ、フィルター装置８のメンテナンス性の向上を図ることができる。
【００５８】
本実施形態のプロジェクター１によれば、フィルター装置８は、外装筐体５の投写レンズ装置４が延出される前面１ａ（スクリーンＳＣに相対する面）に設置されている。そして、プロジェクター１を設置した際、光学像を投写する投写レンズ装置４が延出する前面１ａの近傍に、投写や吸気を阻止するような例えば壁等の障害物が存在する確率は、他の面の近傍に投写や吸気を阻止するような障害物が存在する確率に比較して低くなる。これにより、他の面にフィルター装置８を設置する場合に比較して、吸気を阻止される確率を低くすることができる。従って、確実な吸気及び清浄化を行わせることが可能となる。また、プロジェクター１の設置環境に影響されずにフィルター装置８を交換することができ、フィルター装置８のメンテナンス性を更に向上させることができる。また、併せて、プロジェクター１の設置の自由度を拡大することができる。
【００５９】
なお、上述した実施形態に限定されず、その要旨を逸脱しない範囲において種々の変更や改良等を加えて実施することが可能である。変形例を以下に述べる。
【００６０】
前記実施形態のプロジェクター１において、フィルター装置８は、プロジェクター１の前面１ａ側に設置しているが、これに限られず、他の面側に設置する構成としてもよい。
【００６１】
前記実施形態のプロジェクター１において、冷却機構６は、第１冷却部６１と第２冷却部６２とで構成されている。しかし、これに限られず、外装筐体５内部に、他の冷却部を追加して用いる構成としてもよい。
【００６２】
前記実施形態のプロジェクター１において、フィルター装置８に有する係合部８３と、吸気ダクト６１１に有する係合受け部６３とにより、フィルター装置８を吸気ダクト６１１に着脱自在に設置している。しかし、係合部８３及び係合受け部６３の構成は、本実施形態に限られず、他の構成により、フィルター装置８を吸気ダクト６１１に着脱自在に設置してもよい。
【００６３】
前記実施形態のプロジェクター１において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００６４】
前記実施形態のプロジェクター１において、光学ユニット２は、透過型の光変調装置（透過型の液晶パネル２５２）を採用している。しかし、これに限られず、反射型の光変調装置を採用してもよい。
【００６５】
前記実施形態のプロジェクター１において、光学ユニット２は、光変調装置として液晶パネル２５２を採用している。しかし、これに限られず、一般に、入射光束を画像信号に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００６６】
前記実施形態のプロジェクター１において、光学ユニット２は、光源装置２１から射出された光束の照度を均一化する照明光学装置２２として、第１レンズアレイ２２１、第２レンズアレイ２２２からなるレンズインテグレーター光学系を採用している。しかし、これに限定されるものではなく、導光ロッドからなるロッドインテグレーター光学系も採用することができる。
【００６７】
前記実施形態のプロジェクター１の光学ユニット２において、光源装置２１の光源ランプ２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００６８】
１…プロジェクター、１ａ…前面、２…光学ユニット、４…投写レンズ装置、５…外装筐体、８…フィルター装置、５３…吸気用開口部、６３…係合受け部、８３…係合部、６１１…吸気ダクト、６１２…吸気口。
【図１】
2012008180.tif 000003
【図２】
2012008180.tif 000004
【図３】
2012008180.tif 000005
【図４】
2012008180.tif 000006
【図５】
2012008180.tif 000007
【図６】
2012008180.tif 000008
【図７】
2012008180.tif 000009